(57)【特許請求の範囲】
【請求項１】
壁紙の裏面に連続的に糊を糊付ローラーにより塗布する壁紙糊付機において、
壁紙糊付機に着脱自在なカットテープ芯棒と、
カットテープ芯棒に対して付勢力をかけて位置決め固定される位置固定手段を有した第１サイド板と、
第１サイド板とカットテープを挟み込む第２サイド板と、
カットテープ内に嵌装する芯材とを有し、
第１サイド板と第２サイド板の位置固定手段として、
第１サイド板のカットテープ保持部側面部には磁石又は面ファスナーが設けられ、
第２サイド板はカットテープ保持部と同形のボス部を有し、第２サイド板の側面と上記ボス部の側面に、第１サイド板側に設けられた磁石と引き合うように配置された磁石又は面ファスナーが設けられ、
第１サイド板のカットテープ保持部側面部と第２サイド板はカットテープ保持部と同形のボス部を有した側を接合した場合は、第２サイド板はカットテープ保持部と同形のボス部を有しない側を接合した場合よりも幅の広いカットテープを保持できる
ことを特徴とする壁紙糊付機。
【発明の詳細な説明】
【技術分野】
【０００１】
本発明は、壁紙糊付機の糊付作業工程において使用されるカットテープの保持手段に関するものである。
【背景技術】
【０００２】
従来より、重ね切り工法にて、先に貼り付けした壁紙に対して重ねる側の壁紙の端部には壁紙糊付機で糊付する際にカットテープが付けらることが知られている。このカットテープを壁紙糊付機にセットする部材は自動壁紙糊付機、手動壁紙糊付機のいずれにおいても従来より同種の部材が使われている。下記に記した特許文献１は本出願人が出願した実用新案であり、特許文献１の図９に自動壁紙糊付機の脚部に壁紙の巾方向のカットテープと天地用のカットテープを設置している形態が開示されている。
【０００３】
また、特許文献２も同様に本出願人の出願した実用新案であり、特許文献２の図５及び図６に手動壁紙糊付機の脚部にカットテープを設置している形態が開示されている。
【０００４】
このカットテープの保持手段は、糊付機の脚部に設置するカットテープ芯棒とカットテープの芯材とカットテープを両側で挟み込んでカットテープ芯棒に対して蝶ネジで位置固定するサイド板から構成されている。
【０００５】
【特許文献１】実開平６−１１８６５号公報
【特許文献２】実公平７−２５２５３号公報
【発明の開示】
【発明が解決しようとする課題】
【０００６】
上記文献に示されるカットテープの保持手段は、サイド板の固定を蝶ネジで行うため、壁紙施工現場へ移動して壁紙糊付機を糊付作業できる状態に組み立てた後カットテープをセットする時には、壁紙の端部に貼り付けるようにするために位置決めするのに、片手でサイド板を押さえつつ、位置を調整し、そしてもう片方の手で蝶ネジを締めて固定するという作業を取らねばならなかった。また、一度位置決めした後微調整が必要である場合などでは、両方のサイド板の蝶ネジを緩めて移動させたい方向にスライドさせて、その位置に片手でサイド板を保持した状態で蝶ネジを締め、そしてもう一方のサイド板でカットテープを少し挟むように軽く力をかけた状態で保持しながら、蝶ネジを締めて位置固定をするという手間な手順を取らなければならなかった。
【０００７】
また、カットテープ芯棒からカットテープやサイド板を外したときには、芯材も含めすべてがばらばらの状態となり、再セットする場合にも手間がかかるような構成であった。
【課題を解決するための手段】
【０００８】
上記課題を解決するために、本発明の請求項１は、壁紙の裏面に連続的に糊を糊付ローラーにより塗布する壁紙糊付機において、壁紙糊付機に着脱自在なカットテープ芯棒と、
カットテープ芯棒に対して付勢力をかけて位置決め固定される位置固定手段を有した第１サイド板と、第１サイド板とカットテープを挟み込む第２サイド板と、カットテープ内に嵌装する芯材とを有し、第１サイド板と第２サイド板の位置固定手段として、第１サイド板のカットテープ保持部側面部には磁石又は面ファスナーが設けられ、第２サイド板はカットテープ保持部と同形のボス部を有し、第２サイド板の側面と上記ボス部の側面に、第１サイド板側に設けられた磁石と引き合うように配置された磁石又は面ファスナーが設けられ、第１サイド板のカットテープ保持部側面部と第２サイド板はカットテープ保持部と同形のボス部を有した側を接合した場合は、第２サイド板はカットテープ保持部と同形のボス部を有しない側を接合した場合よりも幅の広いカットテープを保持できることを特徴とする壁紙糊付機としている。
【００１３】
本発明は、第１サイド板と第２サイド板を磁石や面ファスナー等の部材をそれぞれの側面に設けて連結できる構造としたもので、カットテープの位置決めが容易であり、またカットテープの着脱、交換等の作業も簡単にできる構成となる。
【発明の効果】
【００１８】
本発明により、カットテープの位置決めが簡便にできる壁紙糊付機の提供が可能となる。そしてさらに、取り扱いの利便性を向上させることが可能となる。
【発明を実施するための最良の形態】
【００１９】
本実施の形態について説明する。図１に示すように、糊付機本体１が脚部２に載置されてパチン錠で固定されており、その脚部２にカットテープ芯棒３が着脱自在な構造で取り付けられている
【００２０】
図２に示すように、カットテープ芯棒３には第１サイド板６が取り付けられ、カットテープ４内に芯材５を嵌装した状態で第１サイド板６のカットテープ保持部６ａに取り付ける。そして第２サイド板７が第１サイド板６のカットテープ保持部６ａに取り付けられて第１サイド板６と第２サイド板７とでカットテープ４を挟み込む。カットテープ保持部６ａは図３に示すように断面形状がＤカットされた形状となっている。
【００２１】
第１サイド板６の位置決め固定手段としては、ボールプランジャー６ｂがボス部６ｃに取り付けられており、このボールプランジャー６ｂのカットテープ芯棒３に対する付勢力でカットテープ芯棒３の任意位置に固定される。ボールプランジャー６ｂのカットテープ芯棒３に対する付勢力を越える力をかけると第１サイド板は６は自由にスライドするので、位置決め及び位置調整は作業者が少し力をかけてスライドさせるだけで可能となる構成となっている。
【００２２】
第２サイド板７は、カットテープ保持部６ａに嵌装されて取り付けられるのであるが、第２サイド板７に設けられた嵌装孔７ｃは上記カットテープ保持部６ａのＤカット形状より少し大きなＤ形状の孔とされており、第１サイド板６に第２サイド板７を取り付けた状態で、図３に示すように第１サイド板６と第２サイド板７のカットテープ４を挟み込んでいる板状部の切欠き位置が一致するようになっている。そして第２サイド板７の位置決め固定手段も第１サイド板６と同様に、ボス部７ａに設けられたボールプランジャー７ｂの付勢力にて行う構成としている。
【００２３】
上記の構成としているため、壁紙糊付機の糊付作業においてカットテープ４の位置を調整したい場合には、右方向へ移動させたい場合には第１サイド板６のボス部６ｃなどに手をかけてスライド移動させるだけで良く、ほんの少し位置調整したい場合や、１ミリから数ミリ程度移動させたい場合には、カットテープ芯棒３に手をかけた状態で、親指等をボス部６ｃに当てて少し力をかけるだけで所望の位置調整が可能となる。左方向への移動はボス部７ａに対して右方向への移動の方法に準ずるので説明を省略する。
【００２４】
サイド板に使用する部材は樹脂が望ましい。ボールプランジャー７ｂが当接する部分については、耐圧性・耐摩耗性の高い樹脂を採用すれば問題無いが、傷が付く等を配慮するならば、付勢力の弱めのボールプランジャーを複数個使用して付勢力を一ヶ所に集中させないようにしておくと良い。
【００２５】
次に第２の実施の形態について説明する。第２の実施の形態は、図４（ａ）に示すように、カットテープ芯棒３に第１サイド板６が取り付けられ、カットテープ４内に芯材５を嵌装した状態で第１サイド板６のカットテープ保持部６ａに取り付ける。カットテープ保持部６ａの端部には磁石６ｄが埋め込まれており、この磁石６ｄと引き合う極が対抗する状態で第２サイド板７に磁石７ｄが設けられている。そしてさらに、第２サイド板７のボス部７ａの端部には、磁石６ｄと引き合う極が対抗する状態で磁石７ｅが設けられている。
【００２６】
磁石６ｄと磁石７ｄが磁力により接合されることによりカットテープ４を挟み込んで保持する。図４（ｂ）に示すように第２サイド板７を反転させて磁石６ｄと磁石７ｅを接合させると図４（ａ）よりも巾の広いカットテープの保持ができる構成となっているのである。カットテープの巾は３８ｍｍ巾、４５ｍｍ巾、５０ｍｍ巾、６０ｍｍ巾の種々の巾が販売されており、特に図示はしないが、ボス部６ａとボス部７ａと接合できるような同径以下の磁石を配したスペーサーなどを介してさらに使用するカットテープの巾調整を可能とすることもできる。また、上記実施形態では、磁石を使用した実施形態で説明したが、面ファスナー等の接合手段に変更することも可能である。
【００２７】
上記の実施形態により、位置決めが容易であり、またカットテープの着脱、交換等の作業も簡単にできるカットテープ保持手段の提供が可能となる。
【００２８】
次に第３の実施の形態について説明する。第３の実施の形態は、図５に示すように、サイド板８のボス部８ａに固定手段としてプランジャー８ｂを使用し、このサイド板８を対抗して使用するという実施形態である。本例では、カットテープ芯棒３から取り外した際にはそれぞれの部材が一体的には保持されないが、従来の構成に対して着脱や位置決めの容易さが改善されている。
【００２９】
次に、第４の実施の形態について説明する。図６に示すように、カットテープ芯棒３には第１サイド板９が取り付けられ、カットテープ４内に芯材５を嵌装した状態で第１サイド板９のカットテープ保持部９ａに取り付ける。図示はしていないが、芯材５の孔は、カットテープ保持部９ａより少し大きな孔で、かつ突起９ｃ，９ｃ，９ｄ，９ｄに干渉せずに嵌装できるカギ穴状の形状を有している。
【００３０】
そして第２サイド板１０が第１サイド板９のカットテープ保持部９ａに取り付けられて第１サイド板９と第２サイド板１０とでカットテープ４を図６（ａ）のように挟み込む。第２サイド板１０はボス部１０ａを有し、突起９ｃ等に干渉せずにカットテープ４を挟む位置まで嵌装できるようにカギ穴部１０ｃが設けられている。このカギ穴部は図６（ｂ）から判別できるように、突起９ｃ等の幅の約２倍強の寸法となっており、カギ穴部１０ｃの左側辺りには係止片１０ｂを有している。
【００３１】
カットテープ４を挟み込む位置まで第２サイド板１０を嵌装すると、係止片１０ｂが丁度カットテープ保持部９ａに設けられた突起９ｃ，９ｃの間に位置するように設計しているので、嵌装する際には図６（ｂ）の二点鎖線のような状態で第２サイド板１０を嵌装し、嵌装できた時に第２サイド板１０を時計方向に回転させると図６（ｂ）の実線位置となり、突起９ｃ，９ｃの間に係止片１０ｂが噛み合うようにはまり込む。
【００３２】
突起９ｃ，９ｃの間に係止片１０ｂがはまり込む時、カギ穴１０ｃの端面である１０ｄ（図７参照）が突起９ｃ，９ｃの側面に当接して位置決めされ、第１サイド板９と第２サイド板１０の隅切り位置が図６（ｂ）の実線の状態で一致する。
【００３３】
係止片１０ｂを、端面１０ｄの近くになるほど幅が厚くなるようなテーパ状としておくと、第２サイド板１０を回すことにより、突起９ｃ，９ｃの間にきつくはまり込むので着脱の点から有効な実施形態である。突起９ｄ，９ｄは違う幅のカットテープの幅寸法に合わせた突起であり、この突起をさらに複数設けることが可能である。またカットテープの幅寸法で、図６（ａ）に示したように突起９ｃ、９ｄをカットテープ保持部９ａの円周上一直線に並べて配置することができないようなときは、突起を円周上９０度又は１８０度回転移動させたような位置に配置して、カギ穴１０ｃと係止片１０ｂと同様のカギ穴と係止片を複数配置するようにしてもよいのである。そうすることにより、突起を複数組み配設し、カットテープの幅によって第１の係止片あるいは第２の係止片で位置決め固定するという構成が可能となる。
【００３４】
第１サイド板９の位置決め固定手段としては、ボールプランジャー９ｂがボス部９ｃに取り付けられており、このボールプランジャー９ｂの付勢力でカットテープ芯棒３の任意位置に固定される。ボールプランジャー９ｂの付勢力を越える力をかけると第１サイド板は９は自由にスライドするので、位置決め及び位置調整は作業者が少し力をかけてスライドさせるだけで可能となる構成となっている。
【図面の簡単な説明】
【００３５】
【図１】カットテープ芯棒を壁紙糊付機脚部に取り付けた状態を示す図。
【図２】本発明のカットテープ保持構造を説明する図。
【図３】カットテープ保持部形状を説明する図。
【図４】第２の実施形態において（ａ）では幅の狭いカットテープを保持した状態、（ｂ）では幅の広いカットテープを保持した状態を説明する図。
【図５】第３の実施形態を説明する図。
【図６】第４の実施形態を説明する図であり、（ａ）では側面から見た取付状態を示し、（ｂ）では第２サイド板のカギ穴や嵌装時について説明する図。
【図７】第４の実施形態の斜視説明図。
【符号の説明】
【００３６】
１    糊付機本体
２    脚部  
３    カットテープ芯棒
４    カットテープ
５    芯材
６    第１サイド板
６ａ  カットテープ保持部
６ｂ  ボールプランジャー
６ｃ  ボス部
６ｄ  磁石
７    第２サイド板
７ａ  ボス部
７ｂ  ボールプランジャー
７ｃ  嵌装孔
７ｄ  磁石
７ｅ  磁石
８    サイド板
８ａ  ボス部
８ｂ  ボールプランジャー
９    第１サイド板
９ａ  カットテープ保持部
９ｂ  ボールプランジャー
９ｃ  突起
９ｄ  突起
１０    第２サイド板
１０ａ  ボス部
１０ｂ  係止片
１０ｃ  カギ穴
１０ｄ  端面
【図１】
0004793862.tif 000002
【図２】
0004793862.tif 000003
【図３】
0004793862.tif 000004
【図４】
0004793862.tif 000005
【図５】
0004793862.tif 000006
【図６】
0004793862.tif 000007
【図７】
0004793862.tif 000008